(57)【特許請求の範囲】
【請求項１】
プラスチックシートを折り曲げて多面筒体を形成し、当該筒体の開口を蓋板で閉鎖して箱状に組み立てられる包装用ケースにおいて、
前記蓋板の先端に連設させた差し込みフラップに収納物品の収納位置を規制する成形部が設けられ、筒体の開口に蓋板とともに折り重ねられるサイドフラップに収納物品の端部収納位置を規制する成形部が設けられた構成を有することを特徴とする包装用ケース。
【請求項２】
側板に収納物品の収納位置を規制する成形部が設けられた構成を有することを特徴とする請求項１に記載の包装用ケース。
【請求項３】
折り曲げ罫線を挟んで正面板、左右側面板、背面板及び糊代片が連設され、前記各面板の上下両端に折り曲げ罫線を挟んでサイドフラップと蓋板が連設されてなるプラスチックシートであって、
前記蓋板の先端に連設した差し込みフラップに収納物品の収納位置を規制する成形部が形成され、
且つ、筒体の開口に蓋板とともに折り重ねられるサイドフラップに収納物品の端部収納位置を規制する成形部が形成され、
前記各面板を折り曲げ罫線に沿って折り曲げ、糊代片と当該プラスチックシート端部に接着して方形筒体を形成し、当該筒体の開口をサイドフラップと蓋板を折り重ね、前記差し込みフラップを前記サイドフラップと前記面板の間に差し込んで、箱状に組み立てられるケースに用いることを特徴とするケース組み立て用プラスチックシート。
【請求項４】
正面板、左右側面板又は背面板に収納物品の収納位置を規制する成形部を設けた構成を有することを特徴とする請求項３に記載のケース組み立て用プラスチックシート。
【発明の詳細な説明】
【技術分野】
【０００１】
本発明は、透明度の高いプラスチックにより成形されたシートを所定形状に打ち抜き、これをその表面に形成された折り曲げ罫線に沿って折り曲げて多面体に組み立てられ、化粧品や日用品その他の物品を収納して販売や展示に供するのに好適なプラスチックシート製の包装用ケースに関し、自動製函機や包装機にも対応可能とした構成のものに関する。
【背景技術】
【０００２】
女性が鞄に入れて持ち歩くことの多いファンデーションや口紅、マスカラ、香水などの化粧品は、プラスチック製やガラス製の美麗なデザインの化粧品容器に充填され、これを透明な包装用ケースで包装して、販売店の陳列棚に陳列して展示販売されている。
このような化粧品は、その商品の販売イメージなどに沿って化粧品容器がデザインされているものが多く、化粧品容器の形態によっては、例えば図１０に示されているように、包装用ケース１００に入れた状態で化粧品容器１０１とケース内面間に空間ができ、それにより、運搬中に化粧品容器１０１が上下左右に動いてしまい、容器表面を傷つけて商品価値を低下させたり、化粧品容器１０１が傾いたままとなって容器内部で化粧品を偏らせて品質を低下させ、或いは陳列棚に化粧品容器１０１を傾けたまま展示して商品の見栄えを悪くしたりすることがある。
【０００３】
かかる包装用ケース内における化粧品容器の移動を防止するため、従来は、包装用ケースとは別体に表面に凹所を有する位置決めトレーを形成しておき、これを化粧品容器とともに包装用ケースに収納し、化粧品容器を位置決めトレーの凹所に嵌め入れて固定されるようにしていた。
また、ケース内部に物品を固定して収納できるようにした包装用ケースとして、図１１に示されるように、ケース１１０の正背両側板に収納する物品の輪郭に沿って複数の内方突起１１１を設け、これらの内方突起１１１でケース１１０に収納された物品を支持して物品が収納位置に保持されるように設けた構成のものが知られている（例えば特許文献１参照）。
【先行技術文献】
【特許文献】
【０００４】
【特許文献１】特開２００２−１０４３９４号公報
【発明の概要】
【発明が解決しようとする課題】
【０００５】
位置決めトレーを用いて化粧品容器を固定する場合、包装用ケースとは別に位置決めトレーを形成する必要があるため包装コストが嵩み、包装資材の管理も面倒であり、また、位置決めトレーの凹所に化粧品容器を嵌め入れて包装ケースに収納する作業は人手に頼らざるを得ず、自動製函機や包装機には対応できない。
また、前記図１１に示された包装用ケース１１０は、自動製函機を利用して組み立て可能であるものの、ケース１１０の表面に多数の内方突起１１１が設けられているので、ケース１１０の外側から収納された物品の外観が見にくくなってしまい、物品をケース１１０に入れたまま陳列して展示販売するのには不向きである。
包装用ケース内部で物品が傾かないようにするため、包装用ケースに物品を入れた状態で物品の外面とケース内面間に隙間ができないように包装用ケースを形成することも可能であるが、ケース内部で物品の周囲にある程度の空間が確保されていないと、ケースに物品を収納する際にケースが物品に当たったり擦れたりして物品の表面に傷ができやすくなるため、自動包装機を利用して物品を包装することが困難となる。
【０００６】
本発明は従来技術の有するこのような問題点に鑑み、透明なプラスチックシートを折り曲げて組み立てられる包装用ケースにおいて、別体の位置決めトレーを用いることなく、ケース内部に物品をその位置をずらしたり傾けたりせずに所定の収納位置に保持して運搬や展示販売に供することができ、また、自動製函機や包装機を用いても物品の包装ができるようにすることを課題とする。
【課題を解決するための手段】
【０００７】
前述の通り、包装用ケースに収納する物品の形態によっては、とりわけ縦長な物品の場合には、包装用ケース内で物品が傾いてしまうことがあり、ケース表面に多数の内方突起を設けて物品を支持したのではケース内部の視認性が低下し、展示効果が薄れてしまう。
そこで、本発明の包装用ケースは、蓋板の先端に連設させた差し込みフラップに成形部を設け、この成形部で物品を支持することで物品が傾くことなく収納位置に保持されるようにし、ケース内部の視認性も確保されるようにした。
【０００８】
すなわち、前記課題を解決するため本発明は、プラスチックシートを折り曲げて多面筒体を形成し、当該筒体の開口を蓋板で閉鎖して箱状に組み立てられる包装用ケースにおいて、前記蓋板の先端に連設させた差し込みフラップに、収納物品の収納位置を規制する成形部が設けられた構成を有することを特徴とする。
これによれば、図１（Ａ）に示されるように、包装用ケースＣの天面側の蓋板の差し込みフラップに成形部Ｃ１が設けてあれば、ケースＣに物品Ｇが傾いた状態で収納されていても、ケースの上面開口に差し込みフラップを差し込んで蓋板を被せれば、成形部Ｃ１が物品Ｇの上側側面に当接して物品Ｇを直立状態に規制せしめ、ケースＣ内部で物品を直立した収納位置に保持することができる。
【０００９】
前記構成の包装用ケースにおいて、筒体の開口に蓋板とともに折り重ねられるサイドフラップに収納物品の端部収納位置を規制する成形部が設けられていてもよい。
これによれば、図１（Ｂ）に示されるように、包装用ケースＣの天面側の蓋板が重なるサイドフラップと、底面側の蓋板が重なるサイドフラップとにそれぞれ成形部Ｃ２、Ｃ２が設けてあれば、両成形部Ｃ２、Ｃ２が物品の上下端部に当接して物品の両端部の位置を規制し、さらに、ケースＣに物品Ｇが傾いた状態で収納されていても、前記蓋板の差し込みフラップに設けた成形部Ｃ１により物品Ｇを直立状態に規制せしめ、ケースＣ内部で物品を直立した収納位置に保持することができる。
【００１０】
また、前記構成の包装用ケースにおいて、側板に収納物品の収納位置を規制する成形部が設けられていてもよい。
これによれば、図１（Ｃ）に示されるように、包装用ケースＣの側板に設けられた成形部Ｃ３と、前記蓋板の差し込みフラップに設けた成形部Ｃ１とにより、物品Ｇを直立状態に規制せしめ、ケースＣ内部で物品を直立した収納位置に保持することができる。この場合、側板に形成された成形部Ｃ３が包装用ケースＣ内部の視認性を低下させる虞があることから、成形部Ｃ３は、ケースＣの正背及び左右の四側板のうち、包装された物品を展示する際に正面側に向ける面以外の側板、或いは視認性を低下させない位置や大きさ、形状の範囲で設けることが好ましい。
【００１１】
前記構成の包装用ケースは、収納する物品の種類や大きさ、形状などに応じて、開口形状を三角形や四角形、五角形などの多角形状に設けることができる。
開口形状が四角形の本発明の包装用ケースは、折り曲げ罫線を挟んで正面板、左右側面板、背面板及び糊代片が連設され、前記各面板の上下両端に折り曲げ罫線を挟んでサイドフラップと蓋板が連設されてなるプラスチックシートであって、前記蓋板の先端に連設した差し込みフラップに、収納物品の収納位置を規制する成形部が形成され、且つ、前記各面板を折り曲げ罫線に沿って折り曲げ、糊代片と当該プラスチックシート端部に接着して方形筒体を形成し、当該筒体の開口をサイドフラップと蓋板を折り重ね、前記差し込みフラップを前記サイドフラップと前記面板の間に差し込んで、箱状に組み立てられるケースに用いることを特徴とするケース組み立て用プラスチックシート用いて構成することができる。
【００１２】
前記構成のケース組み立て用プラスチックシートにおいて、サイドフラップに収納物品の端部収納位置を規制する成形部を設けることができる。
また、正面板、左右側面板又は背面板に収納物品の収納位置を規制する成形部を設けてもよい。
【００１３】
前記構成のケース及びプラスチックシートにおいて、蓋板の差し込みフラップやサイドフラップなどに形成する成形部は、ケースに収納される物品に当接し或いは物品の表面近傍に偏在して、物品が傾くことを防止して物品が直立した状態に保持されるように収納位置を規制する、ケースの内方に突出し或いは膨出した凸面部や湾曲面部であり、収納する物品の大きさや形状などに応じて適宜な形状及び大きさに設けることができる。
【００１４】
蓋板の差し込みフラップに設ける成形部の面積は、差し込みフラップの面積に対して１０〜８０％の割合で成形することが好ましい。１０％より大きければ物品を収納位置に規制するのに充分な大きさであり、８０％より小さければ差し込みフラップを差し込み易い。より好ましくは２０〜６０％の割合で成形することが好ましい。
蓋板の差し込みフラップに設ける成形部の高さは、収納する物品の大きさや形状にもよるが、左右側面板の奥行きに対して３〜４０％の割合で成形することが好ましい。成形部の高さが３％より高ければ物品を保持するのに充分な高さである。４０％より低ければ差込フラップを差し込み易い。より好ましくは５〜２０％の割合で成形することが好ましい。成形部の高さはサイドフラップ方向に高さを変化させてもよく、サイドフラップ近傍を低くすることでより差し込み易い形状となる。
【００１５】
蓋板の差し込みフラップに設ける成形部の形状は、差し込みフラップの表面を断面略台形状、断面半円形状、断面湾曲形状、或いは断面三角形状に内側へ突出させた膨出面部や湾曲面部とすることができる。好ましくは差し込みフラップの先端側を緩やかに傾斜させる形状とすることで、差し込みフラップを差し込み易く、物品を収納位置に緩やかに規制することができるため好ましい。
また、差し込みフラップを差し込んだ際に接面する面板に、差し込みフラップと嵌合する内面側に突出した成形部を設けることで、差し込みフラップを抜け防止の構造とすることもできる。
サイドフラップに設ける成形部は、物品の上端又は下端の輪郭形状に対応した凹凸面形状に設けてもよい。成形部は差し込みフラップやサイドフラップの表面に複数の凸面部や湾曲面部を設けて構成されていてもよい。
【００１６】
また、収納される物品に応じ、天面側の蓋板の差し込みフラップに成形部を設ける代わりに、底面側の蓋板の差し込みフラップに成形部を設けてもよく、或いは天面側と底面側の両蓋板の差し込みフラップの両方に成形部を設けてよい。サイドフラップに設ける成形部は、天面側のサイドフラップと底面側のサイドフラップの何れか一方にのみ或いは両方に設けることができる。さらに、蓋板を挟んで配置される左右のサイドフラップの一方にのみ成形部を設けても、左右のサイドフラップの両方に成形部を設けても何れでもよい。
【００１７】
前記構成において、ケースを構成するプラスチックシートの材質としては、耐折性が良好なポリエチレンテレフタレート、ポリプロピレン、ポリエチレン、ポリカーボネート、或いはポリ乳酸などの生物由来性樹脂、その他の樹脂単体又はこれらの複合体からなるプラスチックシートを用いることができる。特にポリエチレンテレフタレート製のシートは、透明性が良好で剛性が高い点で好ましく、中でもアモルファスＰＥＴ（Ａ−ＰＥＴ）は、より透明性が良好で且つ未延伸であるためシートの方向に関係なく強度が高い点で好ましい。
プラスチックシートの肉厚は、０．１〜０．８ｍｍに設定することができる。０．１ｍｍより薄いとシート面板の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
プラスチックシートに付設される折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などプラスチックシートを罫線に沿って折り曲げることが可能な適宜な種類の罫線をケースの寸法やプラスチックシートの材質、剛性、厚みなどに応じて適宜に設定することができる。
【図面の簡単な説明】
【００１８】
【図１】（Ａ）〜（Ｃ）は本発明の包装用ケースにおける物品の傾きを矯正し直立状態に保持する機能を説明するための図である。
【図２】本発明のケース組み立て用プラスチックシートの第１実施形態のシート内側の斜視図である。
【図３】図１のプラスチックシートにおける（Ａ）は外側の平面図、（Ｂ）は側面図である。
【図４】図１のプラスチックシートから組み立てた包装用ケースに物品を収納した状態の（Ａ）はケースの側方から見た概略内面図、（Ｂ）は開口面から見た概略内面図である。
【図５】図４の包装用ケースの蓋板を被せた状態の（Ａ）はケースの側方から見た概略内面図、（Ｂ）は蓋板の外側から見た概略内面図である。
【図６】本発明のケース組み立て用プラスチックシートの第２実施形態における（Ａ）はシート内側の斜視図、（Ｂ）はシート外側の平面図である。
【図７】本発明のケース組み立て用プラスチックシートシートの第３実施形態におけるシート内側の斜視図である。
【図８】本発明のケース組み立て用プラスチックシートの第４実施形態におけるシート内側の斜視図である。
【図９】（Ａ）、（Ｂ）は本発明のケース組み立て用プラスチックシートの他の形態を示した図である。
【図１０】従来の包装用ケースの内部で収納物品が傾いた状態を示した図である。
【図１１】収納物品を保持する機能を具備した従来の包装用ケースにおける（Ａ）はプラスチックシートの平面図、（Ｂ）はケースの斜視図である。
【発明を実施するための形態】
【００１９】
本発明の好適な実施形態を図面に基づいて説明する。
図２は本発明の第１実施形態の包装用ケースを展開したプラスチックシートの構成を示している。
【００２０】
このプラスチックシートＳは、各々矩形の板面からなる、正面板１、背面板２及び左右側面板３、４の各面板と糊代片５とを縦方向の折り曲げ罫線６を挟んで各々連設し、正面板１の上下端辺に先端に差し込みフラップ８、８を有する蓋板７、７を横方向の折り曲げ罫線９を挟んで連設し、左右側面板３、４の上下端辺には折り曲げ罫線９を挟んでサイドフラップ１０、１０をそれぞれ連設し、さらに、正面板１の上端辺に連なる天面側の蓋板７の差し込みフラップ８に物品の収納位置を規制する成形部１１を設けるとともに、右側板４の上下端辺に連なるサイドフラップ１０、１０にも前記と同様に物品の収納位置を規制する成形部１２、１２を設けて形成してある。
【００２１】
詳しくは、天面側の蓋板７の先端に連設した差し込みフラップ８の面内に設けられた成形部１１は、差し込みフラップ８の表面を略三角形の断面で帯状に連ねて内側へ突出させた凸面部であり、図４及び図５に示されるように、ケースＣに物品Ｇを収納した状態で物品Ｇの上部側面に成形部１１の先端が略当接する位置に偏在するように設けてある。
【００２２】
また、右側板４の上下端辺に連なるサイドフラップ１０、１０に設けられた成形部１２、１２は、天面側のサイドフラップ１０の成形部１２がケースに収納される物品Ｇの上端部を略囲うように当該サイドフラップ１０の表面を平面視Ｃ字形に内側へ突出させた膨出面部、底面側のサイドフラップ１０の成形部１２がケースに収納される物品の下端部を包囲するよう当該サイドフラップ１０の表面を略円環状に内側へ突出させた膨出面部であり、両膨出面部はともにその膨出中間部からサイドフラップ１０の縁辺部にかけて膨出高さが漸次小さくなるよう形成されており、図４及び図５に示されるように、ケースＣに物品Ｇを収納した状態で物品Ｇの上下端部がそれぞれ上下のサイドフラップ１０、１０の成形部１２、１２内に没入して物品Ｇの収納位置を規制するように設けてある。
【００２３】
また、蓋板７と差し込みフラップ８の間の折り曲げ罫線９の両側には切込み１３、１３が形成されており、天面側のサイドフラップ１０、１０の一側の側縁には蓋板７をケースの開口面に被せる際に成形部１１が進入する切り欠き部１４、１４を形成してある。
【００２４】
このように形成されたプラスチックシートＳは、縦方向の各折り曲げ罫線６に沿って四側面板１、２、３、４と糊代片５を各々略直角に内折れさせるとともに、糊代片５を右側面板４の端部外面に折り重ね、これを接着剤などで一体に接着して筒形に形成し、この状態で筒状のプラスチックシートＳを対向位置にある前記折り曲げ罫線６、６で二つ折り状に折り曲げて保管や運搬に供され、物品を包装する際に二つ折りのプラスチックシートＳを立体化して六面体のケースに組み立てられ、ケースの中に物品を収納してこれを包装することができる。
【００２５】
二つ折りのプラスチックシートＳを立体化してケースに組み立てて物品を収納する作業は人手により可能であるが、製函機や包装機を利用する場合、次の工程により行うことができる。
先ず、二つ折り状のプラスチックシートＳを開いて筒形に立体化し、次いで底面側の開口に位置するサイドフラップ１０、１０と蓋板７を各折り曲げ罫線９に沿って内方へ折り曲げ、成形部１２が設けられた側のサイドフラップ１０、他側のサイドフラップ１０を順次折り重ね、これに蓋板７を折り重ね、差し込みフラップ８を差し込んで底面側の開口を閉鎖する。
次いで、この底面側の開口が閉鎖されたケースＣを、図４に示されるように、正面板１を下側に向けた状態で包装する物品ＧをケースＣの内部に挿入し、これに続けて天面側の開口に位置するサイドフラップ１０、１０を折り曲げ罫線９に沿って折り曲げて天面側の開口に折り重ねる。
このとき、ケースＣ内の物品Ｇは、その下端部が底面側の成形部１２の内側に没入する一方、その上端部は正面板１の内面に当接して物品Ｇ全体が傾いた状態で収納されるが、図４（Ｂ）に示されるように、サイドフラップ１０、１０を折り重ねることにより、サイドフラップ１０に設けた成形部１２が物品Ｇの上端部に当接して、当該上端部はケースＣの中央側に変位する。
そして、図５に示されるように、天面側の蓋板７を折り曲げ、その先端の差し込みフラップ８をケースＣの開口に差し入れて天面側の開口を閉鎖し、ケースＣを密閉する。
このとき、差し込みフラップ８をケースＣの開口に挿入するのに伴い、図５（Ｂ）に示されるように、当該フラップ８に設けられた成形部１１が傾いた物品Ｇの上端部に当接し、当該上端を起こして前記サイドフラップ１０の成形部１２の内側に没入させ、これによりケースＣの内部で物品Ｇが略水平に支持されることとなり、この状態からケースＣを立てれば、物品Ｇは成形部１１と成形部１２、１２により収納位置に保持され、ケースＣの内部で物品Ｇを直立した状態に保持して収納することができる。
包装用ケースＣの運搬中や取り扱い中に振動や衝撃が加わっても、成形部１１及び成形部１２、１２により物品Ｇの位置が規制されるので、収納位置がずれたり傾いたりすることはない。
【００２６】
図６は本発明の第２実施形態の包装用ケースを展開したプラスチックシートＳの構成を示しており、これは、成形部１１を差し込みフラップ８の表面を断面略台形状に内側へ突出させた凸面部として形成し、また、成形部１２、１２をそれぞれケースＣに収納される物品Ｇの上下端部の前後の外形に沿うように、サイドフラップ１０の表面を弓形に内側へ突出させた一対の膨出面部を設けて形成したものである。
【００２７】
図７は本発明の第３実施形態の包装用ケースを展開したプラスチックシートＳの構成を示しており、これは、成形部１１を差し込みフラップ８の表面を断面半円状に内側へ突出させたドーム形の湾曲面部として形成し、また、成形部１２、１２をそれぞれ第２実施形態と同様なサイドフラップ１０の表面を弓形に内側へ突出させた一対の膨出面部を設けて形成したものである。
【００２８】
図８は本発明の第４実施形態の包装用ケースを展開したプラスチックシートＳの構成を示しており、これは、成形部１１を第３実施形態と同様なドーム形の湾曲面部として形成し、成形部１２、１２をそれぞれケースＣに収納される物品Ｇの上下端部の四隅コーナ部の外形に沿うように、サイドフラップ１０の表面を内側へ突出させた四つの凸面部を設けて形成し、さらに、背面板２の面内にも物品Ｇの側方に偏在して収納位置を規制するプラスチックシートＳの内側に突出した成形部１５を設けて形成したものである。
【００２９】
前記各実施形態において、成形部１１及び成形部１２、１２は収納する物品Ｇの形状に応じて、これを収納位置に保持可能であり、且つ容器内部の視認性を低下させることのない範囲で、適宜な形状及び大きさに設けることができる。
なお、図示した形態では、天面側の蓋板７に連なる差し込みフラップ８にのみ成形部１０を設けたが、底面側の蓋板７に連なる差し込みフラップ８にも成形部１０を設けてもよい。
天面側と底面側の開口を閉鎖する一対のサイドフラップ１０、１０の一側にのみ成形部１２を設けたが、両方サイドフラップ１０、１０をそれぞれ開口の半面を閉鎖する大きさに設けるとともに両方のサイドフラップ１０、１０の面内に成形部１２を設けてもよい。
さらに、サイドフラップ１０、１０に成形部１２を設ける代わりに、天面側と底面側の蓋板７、７の一方又は両方に、物品Ｇの上下端部の位置を規制する成形部を設けてもよい。
また、図９に示されるように、蓋板７の周辺に複数の差し込みフラップ８を設け、その面内に成形部１０を設けてもよい。
なお、図示したケース及びプラスチックシートＳは本発明の実施形態の一例を示すものであり、本発明の包装用ケースはこれに限定されず、収納する物品の形態や包装の態様などに応じて他の適宜な形態で構成することが可能である。
【符号の説明】
【００３０】
Ｃ  包装用ケース、Ｇ  物品、Ｓ  プラスチックシート、１  正面板、２  背面板、３  左側面板、４  右側面板、５  糊代片、６  折り曲げ罫線、７  蓋板、８  差し込みフラップ、９  折り曲げ罫線、１０  サイドフラップ、１１，１２，１５    成形部、１３  切込み、１４  切り欠き部
【図１】
0005676211.tif 000002
【図２】
0005676211.tif 000003
【図３】
0005676211.tif 000004
【図４】
0005676211.tif 000005
【図５】
0005676211.tif 000006
【図６】
0005676211.tif 000007
【図７】
0005676211.tif 000008
【図８】
0005676211.tif 000009
【図９】
0005676211.tif 000010
【図１０】
0005676211.tif 000011
【図１１】
0005676211.tif 000012